(57)【特許請求の範囲】
【請求項１】
外部から入力された複数の入力信号が複数の入力チャンネルを介して選択的に複数のバスでなるミキシングバスセクションに送られ、送られた信号が該ミキシングバスセクションの各バスにおいてミキシングされて各バスに対応するスピーカ位置の出力チャンネルに出力され、前記外部から入力された複数の入力信号が多チャンネルのサラウンド信号とされ、前記ミキシングバスセクションにおいて多チャンネルのサラウンド信号がミキシングされて出力されるディジタル・ミキサであって、
前記ミキシングセクションにおける多チャンネルのサラウンド信号のチャンネル構成に対応する複数のモニタ出力チャンネルを有する出力セクションを備え、
モニタ出力として、前記外部から入力された多チャンネルのサラウンド信号のチャンネル構成を、各入力チャンネルの信号が該入力チャンネルのスピーカ位置に対応する前記出力セクションにおける多チャンネルサラウンド信号のモニタ出力チャンネル構成に導入されるよう変換し、前記出力セクションに該変換された多チャンネルサラウンド信号を供給することにより、外部から入力する多チャンネルサラウンド信号をそれぞれ対応するモニタ出力チャンネルにより直接的にモニタ出力する経路と、前記ミキシングバスセクションから出力される多チャンネルのサラウンド信号を前記出力セクションに供給してモニタ出力する経路とが選択可能に設けられていることを特徴とするディジタル・ミキサ。
【請求項２】
外部から入力される複数の入力信号として、入力チャンネルとスピーカ位置との対応関係の異なる複数セットの多チャンネルのサラウンド信号が外部から入力可能であるとともに、該複数セットのチャンネル構成のうちのいずれかを選択し、
前記外部から入力された多チャンネルサラウンド信号のチャンネル構成を変換してモニタ出力する経路は、前記選択されたセットのチャンネル構成を該セットの各入力チャンネルが該入力チャンネルのスピーカ位置に対応する前記出力セクションにおける多チャンネルサラウンド信号のモニタ出力チャンネルに導入されるよう変換することを特徴とする請求項１記載のディジタル・ミキサ。
【請求項３】
外部から入力された複数グループにグループ分けされた複数の入力からの入力信号が複数の入力チャンネルを介して選択的に複数のバスでなるミキシングバスセクションに送られ、送られた信号が該ミキシングバスセクションの各バスにおいてミキシングされて各バスに対応するスピーカ位置の出力チャンネルに出力されるディジタル・ミキサであって、
前記ミキシングバスセクションにおけるサラウンド・モードを指定するサラウンド・モード指定手段と、
前記複数の入力からの入力信号に対し、前記サラウンド・モード指定手段により指定されたサラウンド・モードに応じたサラウンド音量制御を行い、選択的に前記ミキシングバスセクションに出力する入力チャンネル手段と、
前記サラウンド・モードのチャンネル構成に対応して用意されたモニタ用サウンドシステムと、
所定の第１のモニタ操作に応じて、前記ミキシングバスセクションでミキシングされた前記サラウンド・モードに応じたチャンネル構成の多チャンネルのミキシング信号を、前記モニタ用サウンドシステムに供給するよう制御する第１モニタ制御手段と、
所定の設定操作に応じて、前記グループ分けされたグループに含まれる複数の入力チャンネルと該チャンネルが対応するスピーカ位置との対応関係を各グループ毎に設定するチャンネル構成設定手段と、
所定の第２のモニタ操作に応じて、前記グループ分けされた１つのグループを少なくとも選択し、選択されたグループにおける複数入力からの入力信号を、前記チャンネル構成設定手段により設定された当該グループのチャンネルと該チャンネルが対応するスピーカ位置との対応関係に基づいて各チャンネルが、前記サラウンド・モード指定手段により指定されたサラウンド・モードに対応したチャンネルに導入されるよう変換し、変換されたチャンネル構成の入力信号を、前記モニタ用サウンドシステムに供給するよう制御する第２モニタ制御手段と、
を備えることを特徴とするディジタル・ミキサ。
【請求項４】
前記外部からの多チャンネルのサラウンド信号を入力するための入力手段が接続されるスロットを複数備え、
前記入力信号は前記スロット毎にグループ化されるものであることを特徴とする前記請求項３記載のディジタル・ミキサ。
【発明の詳細な説明】
【０００１】
【発明が属する技術分野】
本発明は、多チャンネルのサラウンド信号のモニタを行うことのできるディジタル・ミキサに関する。
【０００２】
【従来の技術】
従来、多数のマイクロホンあるいは電気・電子楽器などから出力されるオーディオ信号のレベルや周波数特性を調整し、ミキシングしていくつかのミキシング・グループにまとめてパワーアンプに送り出すミキシング・コンソールが知られている。ミキシング・コンソールを操作するオペレータは、楽器音や歌唱の各オーディオ信号の音量や音色を、ミキシング・コンソールに備えられた各種パネル操作子を操作することにより、演奏を最もふさわしく表現していると思われる状態に調整している。ミキシング・コンソールは、入力信号系列として複数のマイク／ライン入力の入力チャンネルを備え、入力信号系列をプログラムしてミキシングし、出力信号系列である複数の出力チャンネルに出力している。入力信号系列における各入力チャンネルの信号は、一般にヘッドアンプにより増幅されてミキシング処理部に出力される。そして、ミキシング処理部において周波数特性およびレベルが調整されて、プログラムされた組み合わせにおいてミキシングされる。次いで、出力フェーダにより任意の出力レベルになるように設定されて出力チャンネルの１つに出力される。
【０００３】
【発明が解決しようとする課題】
このようなミキシング・コンソールは、劇場、コンサートホールにおいて使用されたり、コンパクト・ディスク（ＣＤ）等に記録するための音楽ソースを作成するための録音スタジオにおいて使用されている。例えば、録音スタジオにおけるミキシング・コンソールにおいては、素材用の演奏音や歌唱音が入力されるようになる。ミキシング・コンソールは、入力された多数の入力信号のレベルや周波数特性を調整して所望の組み合わせでミキシングし、ミキシング出力のレベルを調整して出力するようにしている。このようなミキシング・コンソールにおいてミキシング処理をＤＳＰ等を使用してディジタル処理により行うようにしたディジタル・ミキサが知られている。
【０００４】
ところで、劇場等においては観客に臨場感を味あわせるように前方および後方に複数のスピーカを配置して臨場感の高い音場を生み出すようにしている。このような臨場感の高い音場を生み出すシステムはサラウンド・システムといわれ、ディジタル・ミキサにおいてもサラウンド効果を発揮することのできるミキシング信号を録音用の音楽ソースとして出力できるようにされている。サラウンドには種々のサラウンド・モードが提案されている。そのいくつかの概要を図１０および図１１に示す。
図１０（ａ）に示すサラウンド・モードはステレオであり、前方に左スピーカＬと右スピーカＲを配置して臨場感を得るようにしている。また、図１０（ｂ）に示すサラウンド・モードは（２＋２）チャンネルモードであり、前方に左スピーカＬと右スピーカＲとを配置すると共に、後方に左後スピーカＬｓと右後スピーカＲｓとを配置して臨場感を得るようにしている。さらに、図１０（ｃ）に示すサラウンド・モードは（３＋１）チャンネルモードであり、前方に左スピーカＬと右スピーカＲ、およびその中央にセンタースピーカＣとを配置すると共に、後方中央にリアスピーカＳを配置して臨場感を得るようにしている。
【０００５】
さらにまた、図１０（ｄ）に示すサラウンド・モードは５．１チャンネルモードであり、前方に左スピーカＬと右スピーカＲ、およびその中央にセンタースピーカＣとを配置すると共に、後方に左後スピーカＬｓと右後スピーカＲｓを配置し、さらにウーハ用スピーカＬＦＥを適所に配置して臨場感を得るようにしている。さらにまた、図１１（ａ）に示すサラウンド・モードは６．１チャンネルモードであり、前方に左スピーカＬと右スピーカＲ、およびその中央にセンタースピーカＣとを配置すると共に、後方に左後スピーカＬｓと右後スピーカＲｓ、およびその中央にリアセンタースピーカＣｓを配置し、さらにウーハ用スピーカＬＦＥを適所に配置して臨場感を得るようにしている。さらにまた、図１１（ｂ）に示すサラウンド・モードは７．１チャンネルモードであり、前方に左スピーカＬと右スピーカＲ、およびその中央にセンタースピーカＣ、左スピーカＬとセンタースピーカＣとの間にスピーカＬｃ、右スピーカＲとセンタースピーカＣとの間にスピーカＲｃとを配置すると共に、後方に左後スピーカＬｓと右後スピーカＲｓを配置し、さらにウーハ用スピーカＬＦＥを適所に配置して臨場感を得るようにしている。以降の説明では、図１０（ａ）に示すサラウンド・モード以外の図１０（ｂ）ないし図１１（ｂ）に示すサラウンド・モードを多チャンネルのサラウンド・モードという。
【０００６】
このようにサラウンド・モードには種々のモードがあり、そのうちの選択されたサラウンド・モードにおいて所定の位置に音を定位させるには、配置されたスピーカにサラウンド・モードと定位位置に応じたレベルに調整されたサラウンド信号を供給するようにしている。しかしながら、ディジタル・ミキサにはこのようなサラウンド・モードが用意されているにもかかわらず、ステレオを超える多チャンネルのサラウンド・モードにおけるサラウンド信号のモニタ出力を出力することができず、素材用および録音用のサラウンド信号のモニタを行うことができないと云う問題点があった。
【０００７】
そこで、本発明は多チャンネルのサラウンド信号のモニタを行えるようにしたディジタル・ミキサを提供することを目的としている。
【０００８】
【課題を解決するための手段】
上記目的を達成するために、本発明のディジタル・ミキサは、外部から入力された複数の入力信号が複数の入力チャンネルを介して選択的に複数のバスでなるミキシングバスセクションに送られ、送られた信号が該ミキシングバスセクションの各バスにおいてミキシングされて各バスに対応するスピーカ位置の出力チャンネルに出力され、前記外部から入力された複数の入力信号が多チャンネルのサラウンド信号とされ、前記ミキシングバスセクションにおいて多チャンネルのサラウンド信号がミキシングされて出力されるディジタル・ミキサであって、前記ミキシングセクションにおける多チャンネルのサラウンド信号のチャンネル構成に対応する複数のモニタ出力チャンネルを有する出力セクションを備え、モニタ出力として、前記外部から入力された多チャンネルのサラウンド信号のチャンネル構成を、各入力チャンネルの信号が該入力チャンネルのスピーカ位置に対応する前記出力セクションにおける多チャンネルサラウンド信号のモニタ出力チャンネル構成に導入されるよう変換し、前記出力セクションに該変換された多チャンネルサラウンド信号を供給することにより、外部から入力する多チャンネルサラウンド信号をそれぞれ対応するモニタ出力チャンネルにより直接的にモニタ出力する経路と、前記ミキシングバスセクションから出力される多チャンネルのサラウンド信号を前記出力セクションに供給してモニタ出力する経路とが選択可能に設けられている。
【０００９】
また、上記本発明のディジタル・ミキサにおいて、外部から入力される複数の入力信号として、入力チャンネルとスピーカ位置との対応関係の異なる複数セットの多チャンネルのサラウンド信号が外部から入力可能であるとともに、該複数セットのチャンネル構成のうちのいずれかを選択し、前記外部から入力された多チャンネルサラウンド信号のチャンネル構成を変換してモニタ出力する経路は、前記選択されたセットのチャンネル構成を該セットの各入力チャンネルが該入力チャンネルのスピーカ位置に対応する前記出力セクションにおける多チャンネルサラウンド信号のモニタ出力チャンネルに導入されるよう変換するようにしてもよい。
【００１０】
次に、上記目的を達成することのできる本発明の他のディジタル・ミキサは、外部から入力された複数グループにグループ分けされた複数の入力からの入力信号が複数の入力チャンネルを介して選択的に複数のバスでなるミキシングバスセクションに送られ、送られた信号が該ミキシングバスセクションの各バスにおいてミキシングされて各バスに対応するスピーカ位置の出力チャンネルに出力されるディジタル・ミキサであって、前記ミキシングバスセクションにおけるサラウンド・モードを指定するサラウンド・モード指定手段と、前記複数の入力からの入力信号に対し、前記サラウンド・モード指定手段により指定されたサラウンド・モードに応じたサラウンド音量制御を行い、選択的に前記ミキシングバスセクションに出力する入力チャンネル手段と、前記サラウンド・モードのチャンネル構成に対応して用意されたモニタ用サウンドシステムと、所定の第１のモニタ操作に応じて、前記ミキシングバスセクションでミキシングされた前記サラウンド・モードに応じたチャンネル構成の多チャンネルのミキシング信号を、前記モニタ用サウンドシステムに供給するよう制御する第１モニタ制御手段と、所定の設定操作に応じて、前記グループ分けされたグループに含まれる複数の入力チャンネルと該チャンネルが対応するスピーカ位置との対応関係を各グループ毎に設定するチャンネル構成設定手段と、所定の第２のモニタ操作に応じて、前記グループ分けされた１つのグループを少なくとも選択し、選択されたグループにおける複数入力からの入力信号を、前記チャンネル構成設定手段により設定された当該グループのチャンネルと該チャンネルが対応するスピーカ位置との対応関係に基づいて各チャンネルが、前記サラウンド・モード指定手段により指定されたサラウンド・モードに対応したチャンネルに導入されるよう変換し、変換されたチャンネル構成の入力信号を、前記モニタ用サウンドシステムに供給するよう制御する第２モニタ制御手段とを備えている。
さらに、上記本発明の他のディジタル・ミキサにおいて、前記外部からの多チャンネルのサラウンド信号を入力するための入力手段が接続されるスロットを複数備え、前記入力信号は前記スロット毎にグループ化されるものであってもよい。
【００１１】
このような本発明によれば、多チャンネルのサラウンド信号をサラウンドモニタ出力として出力する経路を設けるようにしたので、外部から入力された素材用の多チャンネルのサラウンド信号やミキシングバスから出力される録音用の多チャンネルのサラウンド信号をモニタすることができるようになる。
この場合、特定のサラウンド・モードに対応したスピーカに送られる多チャンネルのサラウンド信号のサラウンド・モードと、特定のサラウンド・モードとが一致しない場合は、サラウンドモニタ出力が特定のサラウンド・モードになるように変換することができるようにされている。
【００１２】
【発明の実施の形態】
本発明の実施の形態のディジタル・ミキサと、ディジタル・ミキサに接続される周辺機器との構成を図１に示す。
ディジタル・ミキサ１にはボーカル用のマイク２や楽器集音用のマイク３が接続され、これらのマイク２，３からの音声（歌唱音）や演奏された楽音が入力されている。マイク２，３はそれぞれ複数本とすることができる。また、ディジタル・ミキサ１にはモノラルの楽器４や２チャンネルステレオの楽器５が接続され、これらの楽器４，５からの楽音信号が入力されている。これらの楽器４，５はそれぞれ複数台とすることができる。さらに、ＤＶＤ（Digital Versatile Disk）ドライブ８からの音声や楽音のディジタル信号、および、２４トラックレコーダ６からの素材用の音声、楽音、効果音等が、ディジタル・ミキサ１に入力されている。ディジタル・ミキサ１では、これらの入力された音声や楽音の信号の内のアナログ信号をディジタル信号に変換して、周波数特性やレベル等を調整してミキシングバス等のバスに送るようにしている。同時に、ディジタル入力信号の周波数特性やレベル等を調整してバスに送るようにしている。そして、バスにおいてミキシングされたミキシング信号は、さらに周波数特性や出力レベルが調整されて録音用等とされて外部へ出力されるようになされている。
【００１３】
本発明にかかるディジタル・ミキサ１では、ステレオモニタ出力や多チャンネルのサラウンドモニタ出力が出力可能とされており、出力されたステレオモニタ出力は、ステレオアンプ１０により電力増幅されて２個のスピーカからなるモニタ用のステレオスピーカ１１から放音されるようになる。また、ディジタル・ミキサ１から出力された例えば５．１チャンネルとされた多チャンネルのサラウンドモニタ出力を接続する場合は、少なくとも６チャンネルを有するサラウンドアンプ１２により電力増幅されて６個のスピーカからなる５．１チャンネルモニタ用のサラウンドスピーカ１３から放音されるようになる。なお、ディジタル・ミキサ１のサラウンドモニタ用の出力は８チャンネル分用意されており、サラウンドアンプを８チャンネルとすれば、最大７．１チャンネルのサラウンドスピーカ１３を接続することができる。モニタ用のステレオスピーカ１１およびサラウンドスピーカ１３は、例えば録音スタジオのコントロール・ルームに設置されている。２４トラックレコーダ６では、８チャンネルを１単位として３グループ用意されており、各グループにおいて（２＋２）チャンネルや５．１チャンネル、７．１チャンネルの多チャンネルのサラウンド信号を再生することが可能とされている。再生信号は、録音用の音楽ソースの素材用の信号としてディジタル・ミキサ１に供給されている。また、８トラックマスターレコーダ７では、８チャンネルを有していることからディジタル・ミキサ１によりミキシングされた（２＋２）チャンネルや５．１チャンネル、７．１チャンネルの録音用の音楽ソースである多チャンネルのサラウンド信号を録音することができるようにされている。
【００１４】
モニタ用のサラウンドスピーカ１３が、５．１チャンネル用とされている場合は、コントロール・ルームにおいてモニタ用のサラウンドスピーカ１３が図１０（ｄ）に示す配置で設置されている。そして、２４トラックレコーダ６において再生された各グループにおける素材用の多チャンネルのサラウンド信号や、ミキシングされた録音用の多チャンネルのサラウンド信号を、サラウンドスピーカ１３でモニタすることができるようにされている。さらに、８トラックマスターレコーダ７に録音された多チャンネルのサラウンド信号を再生した場合も、サラウンドスピーカ１３でモニタすることができるようにされている。これにより、臨場感あふれる音場を生成する多チャンネルのサラウンド信号をそのままモニタすることができるようになる。
【００１５】
次に、本発明の実施の形態にかかるディジタル・ミキサ１の構成を示すブロック図を図２に示す。
ディジタル・ミキサ１は、ディジタル・ミキサ１の全体の動作を制御すると共に、ミキシング用の操作子やサラウンド操作子の操作に応じて制御信号を生成しているＣＰＵ（Central Processing Unit）２１と、ＣＰＵ２１が実行するミキシング制御プログラム等の動作ソフトウェアが格納されている書き換え可能な不揮発性のフラッシュメモリ２２と、ＣＰＵ２１のワークエリアや各種データ等が記憶されるＲＡＭ（Random Access Memory）２３を備えている。このように、フラッシュメモリ２２に動作ソフトウェアを格納することにより、フラッシュメモリ２２内の動作ソフトウェアを書き換えることで、動作ソフトウェアをバージョンアップすることができる。また、信号処理部２４は多数のＤＳＰを用いて構成されており、ＣＰＵ２１の制御の元でミキシング処理やサラウンドモニタ処理等を行っている。
【００１６】
さらに、アナログオーディオ信号の入出力およびディジタルオーディオ信号の入出力を行う波形データインタフェース（波形Ｉ／Ｏ）２５が設けられている。この波形データインタフェース２５に入力されるアナログオーディオ信号は、ステレオのアナログ信号や、オペレータからステージのスタッフへの連絡用の音声信号であるトークバック信号とされ、波形データインタフェース２５においてディジタル信号に変換される。また、波形データインタフェース２５から外部へ出力されるアナログオーディオ信号は、ステレオモニタ用の出力やサラウンドモニタ用の出力であり、波形データインターフェース２５において図示していないキュースイッチを操作したときにそのチャンネルの音が出力されるキュー信号とされる。これらのキュー信号は、波形データインタフェース２５においてアナログ信号に変換されて出力されるようになる。
【００１７】
さらに、表示器２６は、液晶表示器とされており、この表示器２６にはミキシングされる各過程におけるディジタル信号のレベルをバーグラフ状に表示することができると共に、サラウンドモニタ設定を行う際にサラウンド設定画面を表示することができる。さらに、電動フェーダ２７は後述するミキシングバス（ＭＩＸバス）への出力レベルやＡＵＸバスへ送り出される信号のセンドレベルや、バスから出力された信号の出力レベルを調整するフェーダであり、手動および電動により調整することができる。パネル操作子２８は、各信号のイコライジング特性やＰＡＮ特性等を操作するための多数の操作子であり、サラウンドの設定を行う際に操作子の内のロータリエンコーダやジョイスティックを用いて、２次元定位位置を任意に制御することができるようになされている。
【００１８】
その他のインタフェース（その他Ｉ／Ｏ）２９は、ＤＶＤドライブ８や外部エフェクタ９との間で信号を授受するためのインタフェースである。さらにまた、信号処理部２４は、カードインタフェース（カードＩ／Ｏ）３０を介して第１のカード３１ないし第６のカード３６との間で信号の授受を行うことができるようにされている。第１のカード３１ないし第６のカード３６は、それぞれカードスロットに装着されており、それぞれのカード３１〜３６は８チャンネルを有している。そこで、以降の説明では、カード３１〜３６が有している８チャンネルを「１スロット」という。また、カード３１〜３６の種類としては、ＡＤ変換器を内蔵するアナログイン／ディジタルアウトのカード、ディジタルイン／ディジタルアウトのカード、ＤＡ変換器を内蔵するディジタルイン／アナログアウトのカードが用意されている。なお、バス３７は各ブロック間でデータをやりとりするための共通路である。ここで、ディジタルイン／ディジタルアウトのカードは、８チャンネル信号のディジタルミキサ１への入力と出力を同時に行うことが可能である。
【００１９】
本発明にかかる図２に示す構成のディジタル・ミキサ１におけるミキシング処理およびサラウンド処理が行われる等価的な機能ブロック図を図３に示す。
図３において、２４チャンネルを有するアナログ入力ユニット４０に入力されたアナログ信号は、内蔵されているＡＤ変換器によりディジタルオーディオ信号に変換されて入力パッチ４５に入力されている。また、ステレオ２チャンネルを有するステレオアナログ入力ユニット４１に入力されたステレオアナログ入力信号は、内蔵されているＡＤ変換器によりディジタルオーディオ信号に変換されて入力パッチ４５に入力されている。さらに、ステレオ３チャンネルを有するステレオディジタル入力ユニット４２に入力されたディジタル信号も入力パッチ４５に入力されている。以上の入力ユニット４０、４１、４２は、波形Ｉ／Ｏ２５に備えられている。さらに、８チャンネル（１スロット）を備えるカード４４から出力されるディジタル信号も入力パッチ４５に入力されている。なお、カード４４を装着するカードスロットは、前述したように６スロット用意されており最大６枚まで装着することができる。
【００２０】
このカード４４がアナログイン／ディジタルアウトのカード種類とされて、例えば２４トラックレコーダ６において再生された素材用の多チャンネルのサラウンド信号が入力された場合は、内蔵されているＡＤ変換器によりディジタル信号のサラウンド信号に変換されて入力パッチ４５に入力される。また、２４トラックレコーダ６がディジタルレコーダの場合は、カード４４がディジタルイン／ディジタルアウトのカード種類とされる。さらに、カード４４から出力されるディジタル信号は出力パッチ５４にも入力可能とされている。なお、ディジタル・ミキサ１には８個のエフェクタからなる内蔵エフェクタ４３が用意されているが、この内蔵エフェクタ４３によりエフェクトの付与された信号も入力パッチ４５に入力されている。さらにまた、出力チャンネル部５２から出力される８チャンネルのミキシング出力チャンネルおよび１２チャンネルのＡＵＸ出力チャンネルの信号を、入力パッチ４５に入力できるようにされている。
【００２１】
入力パッチ４５では、入力された複数の信号を、例えば９６チャンネルの入力チャンネル部４６のそれぞれの入力チャンネルにパッチ（結線）することができる。入力チャンネル部４６における各入力チャンネルには、ノイズゲート、コンプレッサ、ディレイ、フェーダ、ＭＩＸバス４７およびＡＵＸバス５０へのセンドレベル調整部が備えられている。これらの入力チャンネルにおいては、周波数特性およびＭＩＸバス４７への出力レベルおよびＡＵＸバス５０へのセンドレベルが制御されている。入力チャンネル部４６から出力される９６チャンネルのディジタル信号は、８本のミキシングバス（ＭＩＸバス）４７の１ないし複数に選択的に出力されると共に、それぞれＬ，Ｒのバスからなるステレオバス（Stereo#L/R）４８と、それぞれＬ，Ｒのバスからなるソロバス（SOLO#L/R）４９と、１２本のＡＵＸバス５０の１ないし複数に選択的に出力される。
【００２２】
ＭＩＸバス４７においては、８本の各バスにおいてミキシングプログラムに応じてそれぞれ選択的に入力された９６チャンネルのディジタル信号がミキシングされて、合計８チャンネルのＭＩＸ出力が出力チャンネル部（MIX出力ch  AUX出力ch）５２に出力されている。これにより、最大８通りにミキシングされた８チャンネルのＭＩＸ出力を得ることができる。このＭＩＸバス４７からの出力が最終的なサラウンド出力となる。また、ＡＵＸバス５０においては、１２本の各バスにおいてミキシングプログラムに応じてそれぞれ選択的に入力された９６チャンネルのディジタル信号がミキシングされて、合計１２チャンネルのＡＵＸ出力が出力チャンネル部５２に出力されている。これにより、最大１２通りにミキシングされた１２チャンネルのＡＵＸ出力を得ることができる。このＡＵＸバス５０からの出力は中間的なサラウンド出力であり、例えば内蔵エフェクタ４３へ送られる。出力チャンネル部５２は、イコライザ、コンプレッサ、ディレイ、フェーダ等が備えられている（８＋１２）チャンネルの出力チャンネルから構成されている。
【００２３】
ステレオバス４８においては、Ｌ，Ｒのバスにそれぞれ入力された９６チャンネルのディジタル信号をプログラムされたとおりにミキシングして、１系統のステレオミキシング出力をステレオ出力チャンネル部５１に出力している。ソロバス４９においては、Ｌ，Ｒのバスにそれぞれ入力された９６チャンネルのディジタル信号の内の１チャンネルがＬ，Ｒのバスから出力されて、図示していないがそれぞれの入力チャンネルの出力信号を確認するために出力できるようにされている。
【００２４】
ステレオ出力チャンネル部５１から出力されるステレオ１チャンネルのステレオミキシング出力と、出力チャンネル部５２から出力される（８＋１２）チャンネルのＭＩＸ出力およびＡＵＸ出力とは、マトリックス出力チャンネル部（MATRIX 出力 ch）５３に選択的に入力されてミキシングされ、４チャンネルのマトリックス出力が生成されている。マトリックス出力チャンネル部５３は、イコライザ、コンプレッサ、ディレイ、フェーダ等が備えられている４チャンネルの出力チャンネルから構成されており、その出力チャンネル毎に異なる制御がなされることにより、４系統の異なるマトリックス出力信号を得ることができるようにされている。このマトリックス出力チャンネル部５３からの出力はステレオバス４８に供給することができ、ステレオバス４８においてミキシングされたステレオ信号はステレオ出力チャンネル部５１に出力される。
【００２５】
上述したステレオ出力チャンネル部５１からの１チャンネルのステレオ出力信号と、出力チャンネル部５２からの（８＋１２）チャンネルのＭＩＸ出力およびＡＵＸ出力と、マトリックス出力チャンネル部５３からの４チャンネルのマトリックス出力信号は出力パッチ５４に供給される。出力パッチ５４では、入力されたディジタル出力信号のそれぞれが、８チャンネルを有するアナログ出力ユニット５５、ステレオ１チャンネルを有するステレオアナログ出力ユニット５６、ステレオ３チャンネルを有するステレオディジタル出力ユニット５７、内蔵エフェクタ（８個）４３、および、１カード当たり８チャンネル（１スロット）を有するカード５８のいずれかへパッチ（結線）されている。この場合、出力パッチ５４に入力される各ディジタル信号は、複数出力先へパッチ（結線）することができる。一方、出力パッチ５４における各出力先は、それぞれ１つのディジタル信号しか受けられない。なお、内蔵エフェクタ４３では、リバーブ、エコーやコーラスのエフェクトがディジタルオーディオ信号に付加される。この内蔵エフェクタ４３は、信号処理部２４を構成しているＤＳＰにより実現されている。前述したように、内蔵エフェクタ４３の出力は入力パッチ４５に入力することができるようにされている。また、カード５８からは多チャンネルのサラウンド信号を出力することができ、このサラウンド信号を８トラックマスターレコーダ７に出力して録音することができるようにされている。
【００２６】
また、アナログ出力ユニット５５へ出力されたディジタル出力信号は、アナログ出力ユニット５５に内蔵されているＤＡ変換器によりアナログ出力信号に変換される。この８チャンネルを有するアナログ出力ユニット５５には、出力パッチ５４において出力チャンネル部５２やマトリックス出力チャンネル部５３からの多チャンネルのサラウンド信号をパッチすることができる。ここで、図１に示すようにディジタル・ミキサ１から多チャンネルのサラウンドモニタ出力が出力される場合は、アナログ出力ユニット５５からサラウンドモニタ出力が出力されるようになる。この多チャンネルのサラウンドモニタ出力は、サラウンドアンプ１２で電力増幅されてモニタ用のサラウンドスピーカ１３から臨場感あふれた音像で放音される。アナログ出力ユニット５５の８チャンネル出力に、８チャンネルのサラウンドアンプ１２を接続し、さらに８つのスピーカを接続することにより、最大７．１チャンネルのサラウンドに対応することができる。図１では、例えば、サラウンドアンプ１２が８チャンネルを有して５．１チャンネル用アンプに対応しており、モニタ用のサラウンドスピーカ１３が５．１チャンネル用に配置（図１０（ｄ）参照）されている場合は、アナログ出力ユニット５５のチャンネル１が左スピーカチャンネルＬに、チャンネル２が右スピーカチャンネルＲに、チャンネル３が左後スピーカチャンネルＬｓに、チャンネル４が後右スピーカチャンネルＲｓに、チャンネル５がセンタスピーカチャンネルＣに、チャンネル６がウーハスピーカチャンネルＬＦＥに割り当てられる。
【００２７】
サラウンドモニタ出力について説明すると、ディジタル・ミキサ１におけるパネルには図４に示すモニタ用スイッチが設けられている。このモニタ用スイッチにおけるサラウンドモニタスイッチ７１において、スロット選択ボタン７１ｂを操作すると、カード４４から出力パッチ５４へ入力する複数チャンネル信号が、多チャンネルのモニタ用サラウンド信号として８チャンネルのアナログ出力ユニット５５へパッチされるようになる。この場合、例えばアナログ出力ユニット５５のチャンネル１ないしチャンネル６に上述した通りの５．１チャンネルにおける各スピーカチャンネルが割り当てられ、カード４４からのサラウンド信号がサラウンドモニタ出力としてサラウンドアンプ１２で増幅されて、コントロールルームに設置されている５．１チャンネルのモニタ用サラウンドスピーカ１３から放音される。これにより、２４トラックレコーダ６で再生された多チャンネルのサラウンド信号がカード４４に入力されている場合に、このサラウンド信号をそのサラウンド環境においてモニタすることができるようになる。
【００２８】
また、サラウンドモニタスイッチ７１においてＭＩＸバス選択ボタン７１ａが操作された場合は、ＭＩＸバス４７においてミキシングされた多チャンネルのモニタ用サラウンド信号が出力パッチ５４でアナログ出力ユニット５５へパッチされる。この場合も上記と同様にされて、ＭＩＸバス４７においてミキシングされた多チャンネルのサラウンド信号がサラウンドモニタ出力としてコントロールルームに設置されている５．１チャンネルのモニタ用サラウンドスピーカから放音される。これにより、ＭＩＸバス４７においてミキシングされたサラウンド信号を、そのサラウンド環境においてモニタすることができるようになる。
なお、ＭＩＸバス４７におけるサラウンド・モードがステレオを除く多チャンネルのサラウンド・モードに設定されている場合には、サラウンドモニタスイッチ７１におけるＭＩＸバス選択ボタン７１ａあるいはスロット選択ボタン７１ｂの内の選択操作されているボタンが点灯し、サラウンド・モードがステレオに設定されている場合は、サラウンドモニタスイッチ７１におけるいずれのボタンも点灯されない。
【００２９】
ところで、上述したように多チャンネルのサラウンド信号をモニタする際には、サラウンドモニタ設定においてモニタされるカード４４をスロットの選択を行うことにより選択することができると共に、１スロット８チャンネルを有しているカード４４における各チャンネルへのサラウンドチャンネルのパッチ設定（サラウンドモニタパッチ設定）を行うことができるようにされている。この詳細については後述する。
また、出力パッチ５４においてステレオアナログ出力ユニット５６へパッチされたステレオディジタル出力信号は、ステレオアナログ出力ユニット５６に内蔵されているＤＡ変換器によりステレオアナログ出力信号に変換されて出力される。このステレオアナログ出力信号は、８トラックマスターレコーダ７等に録音することができる。さらに、出力パッチ５４においてステレオディジタル出力ユニット５７へパッチされたステレオディジタル出力信号は、ＤＡＴ等に供給されてディジタル録音することができるようにされている。なお、以上に説明した出力ユニット５５、５６、５７は、波形Ｉ／Ｏ２５に備えられている。
【００３０】
さらに、１スロット８チャンネルを備えるカード５８は、ディジタルイン／ディジタルアウトあるいはディジタルイン／アナログアウトのカードとされ、出力パッチ５４において出力チャンネル部５２やマトリックス出力チャンネル部５３からの多チャンネルのサラウンド信号をパッチすることができるようにされている。出力パッチ５４においてカード５８へパッチされた多チャンネルのサラウンド信号出力は、ディジタルイン／アナログアウトのカード種類とされている場合は、カード５８に内蔵されているＤＡ変換器によりアナログのサラウンド信号に変換されて出力される。このサラウンド信号は、８トラックマスターレコーダ７等に録音することができるようにされている。また、ディジタルイン／ディジタルアウトのカード種類とされている場合は、出力されるディジタルのサラウンド信号をディジタルレコーダ等に録音することができるようにされている。
ここで、カード５８にＡＵＸバス５０でミキシングされたＡＵＸ出力がパッチされた場合、このＡＵＸ出力を外部エフェクタ９に供給することができるようにされている。内蔵エフェクタ４３や外部エフェクタ９においては、複数チャンネルにエフェクトを付与することができるようにされている。付与できるエフェクトは、例えば、１入力６出力のリバーブ、２入力２出力の３バンド・バンド別リミッタ、コンプレッサ、エキスパンダ、４入力４出力のリバーブやコンプレッサとされている。内蔵エフェクタ４３によりエフェクトの付与された信号は、入力パッチ４５に入力される。
【００３１】
ところで、ディジタル・ミキサ１においては、ステレオバス４８に入力されるステレオ信号やミキシングされて出力されるステレオ信号、ステレオ出力チャンネル部５１からのステレオ信号を、選択的にあるいは加算してモニタすることができるようにされている。いずれのステレオ出力信号をモニタするかのモニタ信号の選択は、図４に示すステレオモニタスイッチ７０であるモニタ用セレクタ５９により行われる。この場合、ステレオ出力チャンネル５１、ステレオアナログ出力ユニット５６、ステレオディジタル出力ユニット５７、その他アサインされた出力チャンネル５２から、２以上のステレオ信号を選択することができ、選択されたモニタ用ステレオ信号はモニタ用ミキサ６０においてミキシングされ、ステレオアンプ１０で電力増幅されてモニタ用のステレオスピーカ１１あるいはモニタ用のヘッドフォンから放音される。
【００３２】
次に、本発明にかかるディジタル・ミキサ１におけるサラウンドモニタ設定の説明を行う。
図５は、用意された６スロットのカード４４が装着されるスロットの内の、モニタするスロットの設定を行うサラウンドモニタ設定１の表示画面であり、ＭＩＸバス４７における各バス対応の出力チャンネルのミュート設定も行うことができる。この画面は表示器２６に表示される画面であり、表示領域８０にはＭＩＸバス４７に設定されているサラウンド・モードが５．１チャンネルとされている場合が示されている。このサラウンド・モードの表示は、５．１チャンネルのサラウンドスピーカの配置を示すスピーカアイコン８２，８３・・・で示されており、各スピーカアイコン８２，８３・・・の近傍に、そのスピーカチャンネルへ出力するＭＩＸバス４７におけるバスＢＵＳ１〜ＢＵＳ６が表示されている。また、左スピーカＬと右スピーカＲのアイコン８３だけがオンされてミュートされていないことが示されて（表示が白抜きとなる）いる。他のスピーカＬｓ、Ｒｓ、Ｃ、ＬＦＥは、そのスピーカアイコン８２，・・・がオフされてミュートされていることが示されている。各スピーカのアイコンの近傍にはレベル表示部８４，８５・・・が表示されており、ミュートされていないスピーカに供給されるサラウンド信号のレベルが図示するようにメータ表示されている。ここで、ソロボタン８１を操作するとミュートは一旦解除され、最後に選択した出力のみが出力されるようになる。
【００３３】
また、表示画面における領域９０ではスロットボタン９１とスロット番号９２が表示されて、モニタするスロットを選択して設定するようにしている。図示する例では、スロット１とスロット３が選択されてモニタされるように設定されている。このようにスロット１とスロット３が選択されている場合は、スロット１およびスロット３の多チャンネルのサラウンド信号がチャンネル毎に加算されて、サラウンドモニタ出力とされる。ここでのスロットを選択するサラウンドモニタの設定は、図４に示すスロット選択ボタン７１ｂが操作された時や表示されているスロットボタン９１を操作した時に有効となって、スロット１，３に対応するカード４４に入力される多チャンネルのサラウンド信号が加算されて、サラウンドモニタ出力とされる。このサラウンドモニタ出力は、アナログ出力ユニット５５に出力され上述したようにモニタされるようになる。この際のモニタ用サラウンド信号のレベルは、図４に示すボリューム７２により調整することができるようにされている。
さらに、表示画面における領域９５にはサラウンドに関するステータスが表示されている。すなわち、表示欄９６にＭＩＸバス４７におけるサラウンド・モードが５．１チャンネルとされていること、および、表示欄９７にボリューム７２を調整した結果のサラウンドモニタ出力のモニタレベルが０ｄＢとされていることが示されている。
【００３４】
次に、カード４４における各チャンネルからサラウンドチャンネル（アナログ出力ユニット５５の各チャンネルに対応）へのパッチ設定を行うサラウンドモニタ設定２の表示画面を図６に示す。
図６に示すように表示領域１０１は、サラウンドモニタパッチを設定する領域とされており上部にスロット１ないしスロット６がそれぞれ有しているチャンネル１（ＣＨ１）〜チャンネル８（ＣＨ８）のチャンネル番号１０２が表示され、左側には上からスロット１（ＳＬＯＴ１），スロット２（ＳＬＯＴ２），・・・・・スロット６（ＳＬＯＴ６）のスロット番号１０３が表示されている。さらに、チャンネル番号１０２とスロット番号１０３からなるマトリクスに、パッチされたそれぞれのサラウンドチャンネル１０４が表示されている。ここで、各サラウンドチャンネル１０４は、現在選択されているサラウンドモード（この場合は、５．１チャンネルサラウンド）に対応したサラウンドチャンネルの何れかである。この多チャンネルからなるサラウンドチャンネル１０４を、各スロット１〜６におけるチャンネルＣＨ１〜ＣＨ８の各チャンネルにパッチするのが、サラウンドモニタ設定２とされている。
【００３５】
サラウンドチャンネル１０４は、サラウンド・モードにおいて配置されるスピーカに対応している。例えば、スロット１（ＳＬＯＴ１）から６チャンネルの信号（チャンネル順に、Ｌ，Ｒ，Ｌｓ，Ｒｓ，Ｃ，ＬＦＥ）を入力しており、図６のように５．１チャンネルにおける６チャンネルからなるサラウンドチャンネルがパッチされている。すなわち、ＣＨ１に左スピーカ用のサラウンドチャンネルＬが、ＣＨ２に右スピーカ用のサラウンドチャンネルＲが、ＣＨ３に左後スピーカ用のサラウンドチャンネルＬｓが、ＣＨ４に右後スピーカ用のサラウンドチャンネルＬｓが、ＣＨ５にセンタスピーカ用のサラウンドチャンネルＣが、ＣＨ６にウーハ用のサラウンドチャンネルＬが、それぞれパッチされ、ＣＨ７，ＣＨ８にはサラウンドチャンネルはパッチされていない。以上のパッチ設定により、スロット１のサラウンドモニタがオンされたときには、出力パッチ５４にて次のように結線される。スロット１に挿入されたカード４４のチャンネル１は、通常、ＭＩＸバス１（５．１チャンネルモードにおけるサラウンドチャンネルＬ）の出力チャンネルがパッチされているサラウンドモニタ出力（例えばアナログ出力ユニットのチャンネル１）に、該出力チャンネルの代りにアナログ出力ユニットのチャンネル１にパッチ（結線）される。スロット１に挿入されたカード４４のチャンネル２は、ＭＩＸバス２（５．１チャンネルモードにおけるサラウンドチャンネルＲ）の出力チャンネルの代りにアナログ出力ユニットのチャンネル２にパッチされる。また、スロット１に挿入されたカード４４のチャンネル３は、ＭＩＸバス３（５．１チャンネルモードにおけるサラウンドチャンネルＬｓ）の出力チャンネルの代りにアナログ出力ユニットのチャンネル３にパッチされる。以下、スロット１に挿入されたカード４４のチャンネル４〜６も同様にパッチされる。また、スロット２（ＳＬＯＴ２）には、図示するように５．１チャンネルにおけるサラウンドチャンネルが異なる態様でパッチされ、スロット３（ＳＬＯＴ３）には、５．１チャンネルにおけるサラウンドチャンネルがスロット１と同様にパッチされている。さらにまた、スロット４（ＳＬＯＴ４）ないしスロット（ＳＬＯＴ６）におけるチャンネルＣＨ１〜ＣＨ８にはサラウンドチャンネルはパッチされていない。なお、各スロットにパッチされたサラウンドチャンネル１０４をクリアするためのクリアボタン１０５が、表示領域１０１の右側に各スロット１〜６毎に表示されている。
【００３６】
ところで、カード４４からの多チャンネルのサラウンド信号をサラウンドモニタ出力する場合に、カード４４からの多チャンネルのサラウンド信号のサラウンド・モードが５．１チャンネル以外のモードとされている場合がある。この場合には、図６に示すサラウンドモニタ設定２においてチャンネルＣＨ１〜ＣＨ８へのサラウンドチャンネル１０４のパッチを変更するようにする。例えば、カード４４のスロット４に装着されたディジタルイン／ディジタルアウトのカード４４から（２＋２）チャンネル構成の信号（チャンネル順に、Ｌ，Ｒ，Ｌｓ，Ｒｓ）を入力する場合は、ＣＨ１に左スピーカ用のサラウンドチャンネルＬを、ＣＨ２に右スピーカ用のサラウンドチャンネルＲを、ＣＨ３に左後スピーカ用のサラウンドチャンネルＬｓを、ＣＨ４に右後スピーカ用のサラウンドチャンネルＲｓをパッチし、チャンネルＣＨ５〜ＣＨ８にはサラウンドチャンネルをパッチしないようにする。これにより、５．１チャンネル用に配置されているサラウンドスピーカにおいて、（２＋２）チャンネルのサラウンド・モードのサラウンドモニタ出力をモニタすることができるようになる。また、サラウンド・モードによってはこのようにパッチを変更しても対応できない場合があるが、この場合はサラウンドモニタ出力の経路上にサラウンド・モード変換器を設けて、このサラウンド・モード変換器によりサラウンド・モードを変更すればよい。サラウンド・モード変換器は信号処理部２４におけるＤＳＰにより実現させればよい。
【００３７】
なお、サラウンドモニタ出力としては、ＭＩＸバス選択ボタン７１ａを操作した場合に前述したようにＭＩＸバス４７からの多チャンネルのサラウンド信号が出力される。この場合においてサラウンドモニタパッチの設定を行わないのは次の理由による。ＭＩＸバス４７は８本用意されているが、これらのＭＩＸバス４７におけるサラウンドチャンネルへの割当は図９に示すように固定されている。すなわち、サラウンド・モードが５．１チャンネルに設定された場合は、ＭＩＸバス４７におけるバス１（ＢＵＳ１）に左スピーカ用のサラウンドチャンネルＬが割り当てられ、バス２（ＢＵＳ２）に右スピーカ用のサラウンドチャンネルＲが割り当てられ、バス３（ＢＵＳ３）に左後スピーカ用のサラウンドチャンネルＬｓが割り当てられ、バス４（ＢＵＳ４）に右後スピーカ用のサラウンドチャンネルＲｓが割り当てられ、バス５（ＢＵＳ５）にセンタースピーカ用のサラウンドチャンネルＣが割り当てられ、バス６（ＢＵＳ６）にウーハ用スピーカのサラウンドチャンネルＬＦＥが固定的に割り当てられる。この割当は、前述した８チャンネルを有するアナログ出力ユニット５５における各チャンネルへの５．１チャンネルの各スピーカチャンネルの割当に相当している。このため、サラウンドモニタ出力として、ＭＩＸバス４７からの多チャンネルサラウンド信号が出力される場合は、出力パッチ５４においてＭＩＸバス４７のバス１〜バス６をアナログ出力ユニットのチャンネル１〜チャンネル６にパッチすればよいからである。なお、他のサラウンド・モードに設定された場合には、そのサラウンド・モードにおけるＭＩＸバス４７のサラウンドチャンネル構成に合わせるように、ユーザは、アナログ出力ユニット５５に接続されるサラウンドスピーカを変更する。
【００３８】
次に、上述したサラウンドモニタ設定１において、モニタするスロットを設定する際のＳＬＯＴｎオン処理のフローチャートを図７（ａ）に示す。
図５に示すサラウンドモニタ設定１の画面において領域９０に表示されたスロット番号９２のＳＬＯＴｎがオンされるとＳＬＯＴｎオン処理が開始され、ステップＳ１０にて図６に示すサラウンドモニタ設定２において設定されたスロットｎのサラウンドモニタパッチ設定に従って、オンされたスロットｎとアナログ出力ユニット５５間のサラウンドモニタ結線が出力パッチ５４にて設定される。
次に、上述したサラウンドモニタ設定１において、モニタするスロットを設定する際のＳＬＯＴｎオフ処理のフローチャートを図７（ｂ）に示す。
図５に示すサラウンドモニタ設定１の画面において領域９０に表示されたスロット番号９２のＳＬＯＴｎがオフされると、ＳＬＯＴｎオフ処理が開始され、ステップＳ２０にてオフされたスロットｎとアナログ出力ユニット５５間のサラウンドモニタ結線が解除される。
【００３９】
次に、サラウンドモニタスイッチ７１におけるスロット選択ボタン７１ｂをオン／オフした際に実行されるＳＬＯＴスイッチオン処理のフローチャートを図８に示す。
サラウンドモニタスイッチ７１におけるスロット選択ボタン７１ｂが操作されるとＳＬＯＴスイッチオン／オフ処理が開始され、ステップＳ３１にてフラグＳＭＯＮ（サラウンドモニタ）が「１」か否かが判断される。この場合、スロット選択ボタン７１ｂがオン状態の場合にＳＭＯＮは「１」となり、スロット選択ボタン７１ｂがオフ状態の場合にＳＭＯＮは「０」となる。ところで、ＭＩＸバスボタン７１ａがオフ状態、かつ、スロット選択ボタン７１ｂがオフ状態の場合は、ＭＩＸバスボタン７１ａを操作すると、ＭＩＸバスボタン７１ａがオン状態になり、スロット選択ボタン７１ｂを操作すると、スロット選択ボタン７１ｂがオン状態になる。また、ＭＩＸバスボタン７１ａがオン状態、かつ、スロット選択ボタン７１ｂがオフ状態の場合は、ＭＩＸバスボタン７１ａを操作すると、ＭＩＸバスボタン７１ａがオフ状態になり、スロット選択ボタン７１ｂを操作すると、ＭＩＸバスボタン７１ａがオフ状態になると共に、スロット選択ボタン７１ｂがオン状態になる。さらに、ＭＩＸバスボタン７１ａがオフ状態、かつ、スロット選択ボタン７１ｂがオン状態の場合は、ＭＩＸバスボタン７１ａを操作すると、スロット選択ボタン７１ｂがオフ状態になると共に、ＭＩＸバスボタン７１ａがオン状態になり、スロット選択ボタン７１ｂを操作すると、スロット選択ボタン７１ｂがオフ状態になる。そこで、スロット選択ボタン７１ｂがオン状態とされてフラグＳＭＯＮが「１」となっている場合は、ステップＳ３２に進んでサラウンドモニタ出力として設定されているスロットの出力がオンされる。これにより、外部から入力された素材用の多チャンネルのサラウンド信号がモニタされるようになる。また、ステップＳ３１にてフラグＳＭＯＮが「１」とされていないと判断された場合は、ステップＳ３３に進んでサラウンドモニタ出力として設定されているスロットがオフされる。ここで、ＭＩＸバスボタン７１ａがオン状態とされている場合は、ＭＩＸバス４７においてミキシングされた多チャンネルのサラウンド信号がサラウンドモニタ出力とされるようになる。これにより、ＭＩＸバス４７においてミキシングされた多チャンネルのサラウンド信号がモニタされるようになる。
【００４０】
なお、以上説明した本発明の実施の形態のディジタル・ミキサでは、スロットからのサラウンドモニタを選択するスロット選択ボタン７１ｂが１つだけであったが、スロット選択ボタン７１ｂを複数設けるようにしてもよい。その場合、複数のスロット選択ボタン７１ｂに対応させて、図５に示すサラウンドモニタ設定１の画面における表示領域９０に複数のスロットボタン９１と複数のスロット番号９２を表示し、そこで各ボタンでモニタするスロットのオン／オフを設定するようにしてもよい。この場合、複数のスロット選択ボタン７１ｂは同時に複数オン可能とし、オンされた複数のスロット選択ボタンの何れかでオンされているスロットが複数同時にモニタできるようにするとよい。また、図６に示すサラウンドモニタ設定２の画面では、カード４４の各チャンネルをサラウンドチャンネルにパッチするようになっているが、その代りに、カード４４の各チャンネルをアナログ出力ユニット５５の各チャンネルに直接にパッチするようにしてもよい。
【００４１】
さらに、本発明の実施の形態のディジタル・ミキサにおいては、スロット毎にサラウンドモニタパッチを設定するようになっていたが、必ずしもスロット毎に設定しなくてもよい。入力パッチに入力する複数入力を任意の方法で複数のグループに分け、その各グループ毎にサラウンドモニタパッチを設定できるようになっていればよい。さらにまた、図１に示す構成では、ステレオモニタ用スピーカ１１とサラウンドモニタ用スピーカ１３を別個に設けていたが、サラウンドモニタ用スピーカ１３の前左スピーカＬと前右スピーカＲを、ステレオモニタ用スピーカとして共用するようにしてもよい。
【００４２】
【発明の効果】
本発明は以上説明したように、多チャンネルのサラウンド信号をサラウンドモニタ出力として出力する経路を設けるようにしたので、外部から入力された素材用の多チャンネルのサラウンド信号やミキシングバスから出力される録音用の多チャンネルのサラウンド信号をモニタすることができるようになる。
この場合、特定のサラウンド・モードに対応したスピーカに送られる多チャンネルのサラウンド信号のサラウンド・モードと、特定のサラウンド・モードとが一致しない場合は、サラウンドモニタ出力が特定のサラウンド・モードになるように変換することができるようにされている。
【図面の簡単な説明】
【図１】  本本発明の実施の形態のディジタル・ミキサと、ディジタル・ミキサに接続される周辺機器との構成を示すブロック図である。
【図２】  本発明の実施の形態にかかるディジタル・ミキサの構成を示すブロック図である。
【図３】  本発明にかかる図２に示す構成のディジタル・ミキサにおけるミキシング処理が行われる等価的な機能ブロック図である。
【図４】  本発明の実施の形態にかかるディジタル・ミキサのパネルに備えられているモニタ用スイッチの構成を示す図である。
【図５】  本発明の実施の形態にかかるディジタル・ミキサにおけるサラウンドモニタ設定１の画面を示す図である。
【図６】  本発明の実施の形態にかかるディジタル・ミキサにおけるサラウンドモニタ設定２の画面を示す図である。
【図７】  本発明の実施の形態にかかるディジタル・ミキサにおけるスロットｎオン処理、スロットｎオフ処理のフローチャートである。
【図８】  本発明の実施の形態にかかるディジタル・ミキサにおけるスロットスイッチオン／オフ処理のフローチャートである。
【図９】  本発明の実施の形態にかかるディジタル・ミキサにおけるＭＩＸバスのサラウンドチャンネルへの割当を示す図表である。
【図１０】  サラウンド・モードとそのスピーカ配置を示す図である。
【図１１】  他のサラウンド・モードとそのスピーカ配置を示す図である。
【符号の説明】
１  ディジタル・ミキサ、２，３  マイク、４，５  楽器、６  ２４トラックレコーダ、７  ８トラックマスターレコーダ、８  ＤＶＤドライブ、９  外部エフェクタ、１０  ステレオアンプ、１１  ステレオスピーカ、１２  サラウンドアンプ、１３  サラウンドスピーカ、２１  ＣＰＵ、２２  フラッシュメモリ、２３  ＲＡＭ、２４  信号処理部、２５  波形データインタフェース、２６  表示器、２７  電動フェーダ、２８  パネル操作子、２９  その他Ｉ／Ｏ、３０  カードＩ／Ｏ、３１〜３６  カード、３７  バス、４０  アナログ入力ユニット、４１  ステレオアナログ入力ユニット、４２  ステレオディジタル入力ユニット、４３  内蔵エフェクタ、４４  カード、４５  入力パッチ、４６  入力チャンネル部、４７  ＭＩＸバス、４８  ステレオバス、４９  ソロバス、５０  ＡＵＸバス、５１  ステレオ出力チャンネル部、５２  出力チャンネル部、５３  マトリックス出力チャンネル部、５４  出力パッチ、５５  アナログ出力ユニット、５６  ステレオアナログ出力ユニット、５７  ステレオディジタル出力ユニット、５８  カード、５９  モニタ用セレクタ、６０  モニタ用ミキサ、６１  モニタ用アナログ出力、７０  ステレオモニタスイッチ、７１  サラウンドモニタスイッチ、７１ａ  ＭＩＸバス選択ボタン、７１ｂ  スロット選択ボタン、７２ボリューム、８０  表示領域、８１  ソロボタン、８２，８３  スピーカアイコン、８４，８５  レベル表示部、９０  領域、９１  スロットボタン、９２  スロット番号、９５  領域、９６  表示欄、９７  表示欄、１０１  表示領域、１０２  チャンネル番号、１０３  スロット番号、１０４  サラウンドチャンネル、１０５  クリアボタン
【図１】
0004428552.tif 000002
【図２】
0004428552.tif 000003
【図３】
0004428552.tif 000004
【図４】
0004428552.tif 000005
【図５】
0004428552.tif 000006
【図６】
0004428552.tif 000007
【図７】
0004428552.tif 000008
【図８】
0004428552.tif 000009
【図９】
0004428552.tif 000010
【図１０】
0004428552.tif 000011
【図１１】
0004428552.tif 000012